(57)【要約】【課題】壁面に対する棚板の角度を容易に切り替えることができ、利便性を向上できると共に、簡潔な外観で美観を向上させた棚を提供することを目的とする。【解決手段】本発明にかかる棚１００は、壁面１０２に取り付けられる棚であって、壁面に固定される２つ以上のブラケット１０４と、ブラケットに着脱可能に取り付けられる棚板１０６とを有し、棚板には、転落防止用のパイプ１２０が設けられていて、ブラケットは、ブラケットの下部１３４から、壁から離れる方向である手前側に延長されて棚板を下から支持する支持部１２８と、支持部より壁側に配置されていて、パイプと係合する複数の係合部１３０、１３２とを備え、パイプを係合させる係合部を変えることにより、棚板は複数の異なる角度でブラケットに取り付け可能であることを特徴とする。【選択図】図１
2018171272.tif 000002
【特許請求の範囲】
【請求項１】
壁面に取り付けられる棚であって、
前記壁面に固定される２つ以上のブラケットと、
前記ブラケットに着脱可能に取り付けられる棚板とを有し、
前記棚板には、転落防止用の保持部材が設けられていて、
前記ブラケットは、
前記ブラケットの下部から、壁から離れる方向である手前側に延長されて前記棚板を下から支持する支持部と、
前記支持部より壁側に配置されていて、前記保持部材と係合する複数の係合部とを備え、
前記保持部材を係合させる係合部を変えることにより、前記棚板は複数の異なる角度で前記ブラケットに取り付け可能であることを特徴とする棚。
【請求項２】
前記保持部材は、棒状の部材であり、
前記係合部は、前記保持部材を係止する爪状の部位であることを特徴とする請求項１に記載の棚。
【発明の詳細な説明】
【技術分野】
【０００１】
本発明は、壁面に取り付けられる棚に関する。
【背景技術】
【０００２】
従来から、支柱などを含む壁面には、各種物品を収納あるいは陳列するために、備え付けの棚が設けられている。このような棚としては、壁面に対する棚板の角度を切り替えられるものが知られている（例えば、特許文献１）。
【０００３】
特許文献１には、左右に立設した支柱と、支柱に取り付けられる支持ブラケットと、支持ブラケットに支持される棚板とを備えた棚板の支持構造が開示されている。この構造では、支柱の前面に設けられた係止孔に、支持ブラケットの後端部に形成されたフックを係止している。さらにこの構造では、支持ブラケットの後端縁下部に角度調整部材を回転可能に装着し、この角度調整部材を回転させることで、支持ブラケットの後端縁と支柱の前面との間の距離を変化させ、支持ブラケットの支柱に対する傾斜角度を調整している。
【先行技術文献】
【特許文献】
【０００４】
【特許文献１】特開２００６−８７７９４号公報
【発明の概要】
【発明が解決しようとする課題】
【０００５】
しかし特許文献１に記載の構造では、傾斜角度を調整するためには、支持ブラケットとは別部品である角度調整部材を支持ブラケットに回転可能に装着する作業、さらには角度調整部材を回転させる作業も必要となり、また、それらの作業も容易ではない。さらに、角度調整部材の機構が露出するため、外観上も無骨な印象を与えてしまう。
【０００６】
本発明は、このような課題に鑑み、壁面に対する棚板の角度を容易に切り替えることができ、利便性を向上できると共に、簡潔な外観で美観を向上させた棚を提供することを目的としている。
【課題を解決するための手段】
【０００７】
上記課題を解決するために、本発明にかかる棚の代表的な構成は、壁面に取り付けられる棚であって、壁面に固定される２つ以上のブラケットと、ブラケットに着脱可能に取り付けられる棚板とを有し、棚板には、転落防止用の保持部材が設けられていて、ブラケットは、ブラケットの下部から、壁から離れる方向である手前側に延長されて棚板を下から支持する支持部と、支持部より壁側に配置されていて、保持部材と係合する複数の係合部とを備え、保持部材を係合させる係合部を変えることにより、棚板は複数の異なる角度でブラケットに取り付け可能であることを特徴とする。
【０００８】
上記構成によれば、棚板はブラケットの支持部と係合部の２点によって支持（保持）される。これにより、棚板をブラケットに安定して支持可能であると共に、着脱容易である。そして係合部が複数設けられていることから、保持部材を係合させる係合部を異ならせるだけで、棚板の角度を容易に切り替えることができ、利便性を向上できる。また、機械的な角度調整機構がないため、簡潔な外観で高い美観を備えることができる。
【０００９】
上記の保持部材は、棒状の部材であり、係合部は、保持部材を係止する爪状の部位であるとよい。このように、保持部材が棒状であるので、係合部に対する向きがない（任意の角度で係合可能である）。このため、保持部材が設けられた棚板を左右反転しても、保持部材は、爪状の部位である係合部と確実に係合できる。よって、棚板は、左右反転してもブラケットに安定して取り付け可能となる。
【発明の効果】
【００１０】
本発明によれば、壁面に対する棚板の角度を容易に切り替えることができ、利便性を向上できると共に、簡潔な外観で美観を向上させた棚を提供することができる。
【図面の簡単な説明】
【００１１】
【図１】本発明の実施形態における棚を示す図である。
【図２】棚板を拡大して示す図である。
【図３】ブラケットを拡大して示す図である。
【図４】図１の棚とは棚板の置き方を変えたスタイルの棚を示す図である。
【図５】図１の棚とは棚板の置き方を変えた他のスタイルの棚を示す図である。
【図６】本発明の変形例における棚を示す図である。
【発明を実施するための形態】
【００１２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１３】
図１は、本発明の実施形態における棚１００を示す図である。棚１００は、例えば浴室の壁面１０２などに取付けられ、各種物品を収納あるいは陳列するために用いられる。棚１００は、壁面１０２に固定される２つのブラケット１０４と、ブラケット１０４に着脱可能に取り付けられる棚板１０６とを有する。なお棚１００が取付けられる壁面１０２は、ブラケット１０４に対応する位置に立設された支柱であってもよい。
【００１４】
図２は、棚板１０６を拡大して示す図である。棚板１０６には、その側端１０８、１１０に沿って左右一対の２つのサイドキャップ１１２、１１４が取付けられている。また棚板１０６の上面１１６のうち、壁面１０２から離れる方向である手前側の端には、リブ１１８が形成されている。リブ１１８は、棚板１０６の上面１１６から上方に突出していて、棚板１０６に収納あるいは陳列された各種物品が手前側から転落することを防止する。
【００１５】
さらに棚板１０６には、サイドキャップ１１２、１１４を介して、各種物品の転落防止用の保持部材である棒状のパイプ１２０が取付けられている。なお以下では、サイドキャップ１１４については説明を適宜省略するが、サイドキャップ１１２と左右対称の構造を有していて機能等も同様である。
【００１６】
サイドキャップ１１２には、傾斜部１２２が設けられている。傾斜部１２２は、棚板１０６の壁側の端１２４から棚板１０６に対して下方に傾斜していて、その先端付近でパイプ１２０を支持している。このようにして、パイプ１２０は、棚板１０６の壁側の端１２４から下方に離間した状態で、図示のように、サイドキャップ１１２、１１４間に掛け渡されている。
【００１７】
図３は、ブラケット１０４を拡大して示す図である。ブラケット１０４は、本体部１２６と、支持部１２８と、複数（ここでは２つ）の係合部１３０、１３２とを備える。支持部１２８は、本体部１２６の下部１３４から手前側に向かって上方に傾斜するように延びる部位である。
【００１８】
係合部１３０は、本体部１２６の手前側の縦壁１４０に形成され、図１に示すようにパイプ１２０を挟み込むことで、パイプ１２０と係合可能な爪状の部位である。係合部１３２は、本体部１２６の上部１４２に形成され、上部１４２から上方に突出していて、パイプ１２０を引っ掛けるなどして（図５参照）、パイプ１２０と係合可能な爪状の部位である。
【００１９】
また棒状であるパイプ１２０は、爪状の係合部１３０、１３２に対する向きがないため、棚板１０６を左右反転した場合であっても（図４参照）、係合部１３０、１３２と確実に係合できる。なお係合部１３０、１３２いずれも、支持部１２８より壁側に配置されている。
【００２０】
図１に示す棚１００では、棚板１０６が支持部１２８の先端部１３８により下から支持され、サイドキャップ１１２、１１４を介して棚板１０６に取り付けられたパイプ１２０が係合部１３０と係合している。つまり、棚１００では、棚板１０６がブラケット１０４の支持部１２８と係合部１３０の２点によって支持（保持）されているため、棚板１０６をブラケット１０４に安定して支持可能であると共に、着脱容易である。
【００２１】
さらに棚１００では、ブラケット１０４により２点支持された棚板１０６がブラケット１０４に水平に支持されている。したがって棚１００では、棚板１０６に各種物品を安定して収納あるいは陳列できる（以下、フラットスタイルと称する）。
【００２２】
図４は、図１の棚１００とは棚板１０６の置き方を変えたスタイルの棚１００Ａを示す図である。棚１００Ａでは、図示のように、棚板１０６を左右反転させた状態でブラケット１０４に取り付けている。
【００２３】
棚１００Ａでは、棚板１０６に設けられたサイドキャップ１１４の傾斜部１２２に支持された棒状のパイプ１２０が、ブラケット１０４の係合部１３０と係合している。さらに棚１００Ａでは、棚板１０６の上面１１６が支持部１２８の先端部１３８によって下から支持されている。つまり、棚１００Ａでは、左右反転した棚板１０６であってもブラケット１０４の支持部１２８と係合部１３０とによって支持されているため、棚板１０６をブラケットに安定して取り付け可能であると共に、着脱容易である。
【００２４】
さらに棚１００Ａでは、棚板１０６の下面１４４を上側にしてさらにパイプ１２０が下側に位置するように棚板１０６をブラケット１０４に取り付けることで、棚板１０６が手前側に向かって上方に傾斜した状態となっている。棚１００Ａは、この状態でパイプ１２０を用いて各種物品を収納でき、さらにパイプ１２０が棚板１０６の下面１４４から離間しているため水切りを行うことができる（以下、水切りスタイルと称する）。
【００２５】
図５は、図１の棚１００とは棚板１０６の置き方を変えた他のスタイルの棚１００Ｂを示す図である。棚１００Ｂでは、棚板１０６に設けられたサイドキャップ１１２の傾斜部１２２に支持された棒状のパイプ１２０が、ブラケット１０４の係合部１３２と係合し、さらに棚板１０６の下面１４４が支持部１２８の先端部１３８（図３参照）によって下から支持されている。
【００２６】
このように棚１００Ｂでは、棚板１０６がブラケット１０４の支持部１２８と係合部１３２の２点によって支持されることで、図示のように、棚板１０６が手前側に向かって下方に傾斜した状態でブラケット１０４に支持可能となる。このため、棚１００Ｂは、棚板１０６をブラケットに安定して取り付け可能であると共に、着脱容易である。
【００２７】
さらに棚１００Ｂでは、棚板１０６の手前側の端に設けられたリブ１１８が棚板１０６の下縁となるため、各種物品を斜めに収納あるいは陳列することができる（以下、ディスプレイスタイルと称する）。
【００２８】
上記説明したように、本実施形態によれば、棚板１０６を支持する支持部１２８と複数設けられた係合部１３０、１３２のうち、パイプ１２０を係合させる係合部１３０、１３２を異ならせるだけで、棚板１０６の角度を容易に切り替えることができ、利便性を向上できる。さらに、機械的な角度調整機構がないため、簡潔な外観で高い美観を備えた棚１００、１００Ａ、１００Ｂを得ることができる。
【００２９】
上記ブラケット１０４では、２つの係合部１３０、１３２を設けるようにしたが、これに限られず、縦壁１４０などにさらに他の係合部を設けることで、壁面１０２に対する棚板１０６の角度をさらに細かく設定できるようにしてもよい。
【００３０】
図６は、本発明の変形例における棚２００を示す図である。図６（ａ）はフラットスタイルを示す図、図６（ｂ）はディスプレイスタイルを示す図である。図６（ａ）に示すように、棚２００は、壁面２０２に固定されたブラケット２０４と、ブラケット２０４に着脱可能に取り付けられる棚板２０６とを有している。
【００３１】
棚板２０６には、その側端に沿って取付けられたサイドキャップ２０８を介して、棒状のパイプ２１０が取付けられている。サイドキャップ２０８には、パイプ２１０を支持する脚部２１２が設けられている。脚部２１２は、棚板２０６から下方に向かって垂直に延びている。
【００３２】
ブラケット２０４は、その下部２１４から手前側に向かって上方に傾斜するように延びる支持部２１６と、下部２１４と上部２１８とをつなぐ縦壁２２０とを有する。上部２１８は、棚板２０６の壁側の端２２２を上から支持する係合部として機能する。また上部２１８の先端には、手前側に向かって上方に傾斜するように伸びる係合部２２８が設けられている。
【００３３】
そして図６（ａ）に示すように、棚板２０６の下面２２４を支持部２１６の先端部２２６により下から支持して、棚板２０６の壁側の端２２２を上部２１８に係合することにより、棚板２０６が水平に支持される（フラットスタイル）。
【００３４】
さらに図６（ｂ）に示すように、棚板２０６を支持部２１６で支持しつつ、パイプ２１０を係合部２２８によって支持することによって、棚板２０６が手前側に向かって下方に傾斜した状態でブラケット２０４に支持可能となる（ディスプレイスタイル）。
【００３５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３６】
本発明は、壁面に取り付けられる棚に利用することができる。
【符号の説明】
【００３７】
１００、１００Ａ、１００Ｂ、２００…棚、１０２、２０２…壁面、１０４、２０４…ブラケット、１０６、２０６…棚板、１０８、１１０…棚板の側端、１１２、１１４、２０８…サイドキャップ、１１６…棚板の上面、１１８…リブ、１２０、２１０…パイプ、１２２…傾斜部、１２４、２２２…棚板の壁側の端、１２６…本体部、１２８、２１６…支持部、１３０、１３２、２２８…係合部、１３４…本体部の下部、１３８、２２６…支持部の先端部、１４０…本体部の縦壁、１４２…本体部の上部、１４４、２２４…棚板の下面、２１２…脚部、２１４…ブラケットの下部、２１８…ブラケットの上部、２２０…ブラケットの縦壁
【図１】
2018171272.tif 000003
【図２】
2018171272.tif 000004
【図３】
2018171272.tif 000005
【図４】
2018171272.tif 000006
【図５】
2018171272.tif 000007
【図６】
2018171272.tif 000008